(57)【要約】
【課題】  お風呂や、水槽に浮かべて使用しても、内部に水が浸入しないランプを提供する。
【解決手段】  ほぼ球状で開口部１ａを有するホヤ１と、このホヤ１の開口部１ａに気密を有して固着された取付部材２と、この取付部材２の一端に装着された電子回路部３と、この電子回路部３に電気的に接続された発光ダイオード４と、この発光ダイオード４、及び電子回路部３に電気的に接続され、取付部材２の内部に収納される電池１５と、取付部材２の他端内周面２ｂに気密を有して固着される底板７と、一方が電池１５とリード線１１を介して接続され底板７から気密を有して取出され、他方が電子回路部３からリード線６を介して接続され、底板７から気密を有して取出された一対の接点１０ａ，１０ｂと、底板７の内周部に設けられた段部７ｂと、底板７の内周部に螺着されたフタ８と、このフタの段部との間に挿着されたシール部材９とを備えた装飾ランプ。
【選択図】  図１
0003101365.tif 000002
【実用新案登録請求の範囲】
【請求項１】
ほぼ球状で開口部を有するホヤと、このホヤの開口部に気密を有して固着された取付部材と、この取付部材の一端に装着された電子回路部と、この電子回路部に電気的に接続された発光ダイオードと、この発光ダイオード、及び上記電子回路部に電気的に接続され、上記取付部材の内部に収納される電池と、上記取付部材の他端内周面に気密を有して固着される底板と、一方が上記電池とリード線を介して接続され上記底板から気密を有して取出され、他方が上記電子回路部からリード線を介して接続され、上記底板から気密を有して取出された一対の接点と、上記底板の内周部に設けられた段部と、上記底板の内周部に螺着されたフタと、このフタと上記段部との間に挿着されたシール部材とを備えたことを特徴とする装飾ランプ。
【請求項２】
上記ホヤの内部に、乱反射部材を挿入したことを特徴とする請求項１記載の装飾ランプ。
【考案の詳細な説明】
【技術分野】
【０００１】  この考案は、発光ダイオードを発光させて、おもちゃやインテリアとして使用するランプに関するものである。
【背景技術】
【０００２】  従来の発光ダイオードを発光させるおもちゃとしては、樹脂成形されたケースの中に電子回路や発光ダイオードを取り付け、電子回路の入力部として一対の電極端子板をケースの表面に露出させる様に構成されている。（例えば、実用文献１参照）。
【特許文献１】    実登３０３８２５１号公報（第１−２頁、図１）
【考案の開示】
【考案が解決しようとする課題】
【０００３】  上記のような従来の発光ダイオードを発光させるおもちゃは、見栄えを重要視した物が多く、お風呂、水槽などに浮かべて使用する場合、電極端子盤の取り出し口からケース内に水が浸入し電子回路等が腐食する恐れがあるという問題があった。【０００４】  この考案は、上述のような問題点を解決するためになされたもので、お風呂や、水槽に浮かべて使用しても、内部に水が浸入しないランプを提供する事を目的とする。
【問題を解決するための手段】
【０００５】  この考案の装飾ランプは、ほぼ球状で開口部を有するホヤと、このホヤの開口部に気密を有して固着された取付部材と、この取付部材の一端に装着された電子回路部と、この電子回路部に電気的に接続された発光ダイオードと、この発光ダイオード、及び電子回路部に電気的に接続され、取付部材の内部に収納される電池と、取付部材の他端内周面に気密を有して固着される底板と、一方が上記電池とリード線を介して接続され底板から気密を有して取出され、他方が電子回路部からリード線を介して接続され、底板から気密を有して取出された一対の接点と、底板の内周部に設けられた段部と、底板の内周部に螺着されたフタと、このフタと段部との間に挿着されたシール部材とを備えたものである。
【０００６】  また、ホヤの内部に乱反射部材を挿入したものである。
【考案の効果】
【０００７】  この考案の装飾ランプは、お風呂や水槽などに浮かべて使用しても、内部に水が浸入することがなくなり、内部の電子回路部等が腐食する事がない。また、ホヤの内部に乱反射部材を挿入することにより、ホヤがゆれ動くと、乱反射部材が光り輝き、見栄えがよくなる。
【考案を実施するための最良の形態】
【０００８】実施の形態１．
図１は、この考案の実施の形態１を示す装飾ランプの正面断面図である。図２は図１に示す装飾ランプの下部の拡大断面図である。図３は図１に示す装飾ランプの底面図である。図４は図１に示す装飾ランプの平面図であり、透過して見える状態を示す。図において、１００は装飾ランプである。１はホヤ（火屋）であり、透明または半透明の合成樹脂材料にてほぼ球状に形成され、下部に開口部１ａを有している。また、ホヤ１は図４に示すように内部に泡状及び、散状の形をしたプラスチック素材で作られた乱反射部材１ｂが挿入されている。この乱反射部材は、装飾ランプ１００の見栄えと、発光ダイオード４（後記する）が発光した際、光の乱反射効果を目的とするための工夫である。２は取付部材であり、合成樹脂材料で筒状に形成されている。３は電子回路部であり、取付部材２の上面に装着されている。４は発光ダイオードであり、電子回路部３の中央に取り付けられている。【０００９】  ５は電池の一方の電極を接触させる端子であり、電子回路部３に接続されると共に、取付部材２に嵌装されている。６はリード線であり、一端６ａが底板７（後記する）に嵌装、他端６ｂが電子回路部３に接続されている。７は底板であり、内周部に雌ネジ７ａと、段部７ｂが形成されている。８は電池交換用のフタであり、外周部に雄ネジが設けられ、底面にはコイン等で開閉できる溝８ａが形成されている。９はＯリングなどのシール部材である。１０ａ，１０ｂは一対の接点であり、それぞれ底板７に水が浸入しないよう気密性をもたせて嵌装され、リード線６、１１の一端に電気が流れる目的のために接続されている。【００１０】  １１はリード線であり、一端１１ａが底板７に嵌装され、他端は電極板の端子１２に接続されている。１４は絶縁材料で形成されたリード線カバーであり、６、１１リード線を覆い漏電を防ぐものである。１５は電池であり、電子回路部３及び発光ダイオード４に電源を供給するためのものである。１６は電池１５を収納するための電池ケースである。また、ホヤ（火屋）１の下部の内周部１ａと、取付部材２の下部の外周面２ａ、及び取付部材２の下部の内周面２ｂと底板７の外周面７ｃとは、接着剤で気密性を持たせて固着されている。電池交換用のフタ８と底板７に対しても、シール部材９で気密性を持たせている。【００１１】  上述のように構成された装飾ランプにおいて、使用方法を説明する。装飾ランプ１００を、水、又は導通するものの上に置くと、接点１０ａと１０ｂが導通し、自動スイッチとなり発光ダイオード４に電源が供給され、発光ダイオード４を発光させる。【００１２】  この装飾ランプ１００は上述の様に構成されているので、お風呂や水槽などに浮かべて使用しても、内部に水が浸入することがなく、水中でも発光ダイオード４を発光させることができる。また、下方部分に電池収納部を設けているので、下方部分に重心を有し、水中でも安定して浮かばせることができる。【００１３】  また、この装飾ランプ１００は、水に接触して発光するのは勿論、その他、導通するものであれば発光し、従来装飾ランプとして使用していたキャンドル、アルコールランプなどの炎での明かりに替わるものとして考案され、安全面と衛生面の上でも貢献する。��た、夜間の降雨時、危険発生区域での発光シグナルとしても役立つ。
【図面の簡単な説明】
【００１４】
【図１】  この考案の実施の形態の１を示す装飾ランプの正面断面図である。
【図２】  この考案の実施の形態の１を示す装飾ランプの下部の拡大断面図である。
【図３】  この考案の実施の形態の１を示す装飾ランプの底面図である。
【図４】  この考案の実施の形態の１を示す装飾ランプの平面図である。
【符号の説明】
【００１５】    １  ホヤ、１ａ  開口部、１ｂ  乱反射部材、２  取付部材、２ｂ  内周面、３  電子回路部、４  発光ダイオード、６  リード線、７  底板、７ｂ  段部、８  フタ、９  シール部材、１０ａ  接点、１０ｂ  接点、１１  リード線、１５  電池、１００  装飾ランプ
【図１】
0003101365.tif 000003
【図２】
0003101365.tif 000004
【図３】
0003101365.tif 000005
【図４】
0003101365.tif 000006